(57)【要約】【課題】毛髪が出力軸に絡まってしまうことを低減することができる頭皮ケア装置を提供する。【解決手段】頭皮ケア装置１は、出力軸１２を回転駆動するモータ１３と、モータ１３を収容する本体ハウジング１１と、本体ハウジング１１から突出した出力軸１２の先端に連結され、該出力軸１２の回転に基づいて駆動される突起１４を有した施術子１５とを備える。本体ハウジング１１には、該本体ハウジング１１から突出した出力軸１２の周囲を覆うカバー３１が設けられる。【選択図】図１
2011172623.tif 000002
【特許請求の範囲】
【請求項１】
出力軸を回転駆動する駆動源と、
前記駆動源を収容する本体ハウジングと、
前記本体ハウジングから突出した前記出力軸の先端に連結され、該出力軸の回転に基づいて駆動される突起を有した施術子と
を備え、前記突起を頭皮に接触させて頭皮をケアするための頭皮ケア装置であって、
前記本体ハウジングには、該本体ハウジングから突出した前記出力軸の周囲を覆うカバーが設けられたことを特徴とする頭皮ケア装置。
【請求項２】
請求項１に記載の頭皮ケア装置において、
前記施術子は、前記出力軸の中心である第１の軸からずれた第２の軸中心で前記出力軸に対して回転可能に設けられる回転部材と、前記第１の軸に対して偏った位置に配置されるように前記回転部材に設けられる複数の突起とを有するものであることを特徴とする頭皮ケア装置。
【請求項３】
請求項２に記載の頭皮ケア装置において、
前記カバーは、前記施術子の前記第１の軸中心の回転を許容しながら前記回転部材の周囲の少なくとも一部を覆う回転部材カバー部を有することを特徴とする頭皮ケア装置。
【請求項４】
請求項３に記載の頭皮ケア装置において、
前記回転部材カバー部は、前記施術子の前記第１の軸中心の回転に追従しながら外部と前記出力軸側とを区画する変形可能な追従変形体を有することを特徴とする頭皮ケア装置。
【請求項５】
請求項４に記載の頭皮ケア装置において、
前記追従変形体は、前記第１の軸方向から見て前記第２の軸に対する前記突起の位置関係が変化しない状態を保ったまま前記施術子が前記第１の軸中心に回転するように、前記施術子に連結されたことを特徴とする頭皮ケア装置。
【請求項６】
請求項５に記載の頭皮ケア装置において、
前記追従変形体が複数の前記突起以外を覆うように設けられ、各突起が前記追従変形体を貫通してそれぞれが該追従変形体と係合することで、前記第１の軸方向から見て前記第２の軸に対する前記突起の位置関係が変化しない状態を保つようにしたことを特徴とする頭皮ケア装置。
【請求項７】
請求項４乃至６のいずれか１項に記載の頭皮ケア装置において、
前記追従変形体は、弾性体よりなる蛇腹形状の蛇腹部材であることを特徴とする頭皮ケア装置。
【発明の詳細な説明】
【技術分野】
【０００１】
本発明は、例えば、頭皮の活性化や育毛を図るための頭皮ケア装置に関するものである。
【背景技術】
【０００２】
頭皮ケア装置としては、出力軸を回転駆動する駆動源と、駆動源を収容するハウジングと、ハウジングから突出した出力軸の先端に連結され、該出力軸の回転に基づいて駆動される突起を有した施術子とを備え、突起を頭皮に接触させて頭皮をケアする（頭皮を洗浄する）ものがある（例えば、特許文献１参照）。
【先行技術文献】
【特許文献】
【０００３】
【特許文献１】特開平７−２１３３２８号公報
【発明の概要】
【発明が解決しようとする課題】
【０００４】
しかしながら、上記のような頭皮ケア装置では、毛髪が出力軸に絡まってしまうという虞があった。
本発明は、上記課題を解決するためになされたものであって、その目的は、毛髪が出力軸に絡まってしまうことを低減することができる頭皮ケア装置を提供することにある。
【課題を解決するための手段】
【０００５】
上記課題を解決するために、請求項１に記載の発明では、出力軸を回転駆動する駆動源と、前記駆動源を収容する本体ハウジングと、前記本体ハウジングから突出した前記出力軸の先端に連結され、該出力軸の回転に基づいて駆動される突起を有した施術子とを備え、前記突起を頭皮に接触させて頭皮をケアするための頭皮ケア装置であって、前記本体ハウジングには、該本体ハウジングから突出した前記出力軸の周囲を覆うカバーが設けられたことを要旨とする。
【０００６】
同構成によれば、本体ハウジングには、本体ハウジングから突出した出力軸の周囲を覆うカバーが設けられるため、毛髪が出力軸に絡まってしまうことを低減することができる。
【０００７】
請求項２に記載の発明では、請求項１に記載の頭皮ケア装置において、前記施術子は、前記出力軸の中心である第１の軸からずれた第２の軸中心で前記出力軸に対して回転可能に設けられる回転部材と、前記第１の軸に対して偏った位置に配置されるように前記回転部材に設けられる複数の突起とを有するものであることを要旨とする。
【０００８】
同構成によれば、施術子は、出力軸の中心である第１の軸からずれた第２の軸中心で出力軸に対して回転可能に設けられる回転部材と、第１の軸に対して偏った位置に配置されるように回転部材に設けられる複数の突起とを有するため、本体ハウジングを動かさなくても施術子（複数の突起の群）を広範囲に移動させて頭皮をケアすることができる。このような頭皮ケア装置において、毛髪が出力軸に絡まってしまうことを低減することができる。
【０００９】
請求項３に記載の発明では、請求項２に記載の頭皮ケア装置において、前記カバーは、前記施術子の前記第１の軸中心の回転を許容しながら前記回転部材の周囲の少なくとも一部を覆う回転部材カバー部を有することを要旨とする。
【００１０】
同構成によれば、カバーは、前記施術子の前記第１の軸中心の回転を許容しながら前記回転部材の周囲の少なくとも一部を覆う回転部材カバー部を有するため、毛髪が出力軸の周囲まで入り込むことを低減することができ、ひいては毛髪が出力軸に絡まってしまうことを更に低減することができる。
【００１１】
請求項４に記載の発明では、請求項３に記載の頭皮ケア装置において、前記回転部材カバー部は、前記施術子の前記第１の軸中心の回転に追従しながら外部と前記出力軸側とを区画する変形可能な追従変形体を有することを要旨とする。
【００１２】
同構成によれば、回転部材カバー部は、前記施術子の前記第１の軸中心の回転に追従しながら外部と前記出力軸側とを区画する変形可能な追従変形体を有するため、毛髪が出力軸の周囲まで入り込むことが防止され、ひいては毛髪が出力軸に絡まってしまうことが防止される。
【００１３】
請求項５に記載の発明では、請求項４に記載の頭皮ケア装置において、前記追従変形体は、前記第１の軸方向から見て前記第２の軸に対する前記突起の位置関係が変化しない状態を保ったまま前記施術子が前記第１の軸中心に回転するように、前記施術子に連結されたことを要旨とする。
【００１４】
同構成によれば、追従変形体は、第１の軸方向から見て第２の軸に対する突起の位置関係が変化しない状態を保ったまま施術子が第１の軸中心に回転するように、施術子に連結されるため、各突起が第１の軸を中心として（それぞれがそれぞれの半径で）単純に回転する運動に基づいて施術子に毛髪が絡まってしまう現象を回避することができる。
【００１５】
請求項６に記載の発明では、請求項５に記載の頭皮ケア装置において、前記追従変形体が複数の前記突起以外を覆うように設けられ、各突起が前記追従変形体を貫通してそれぞれが該追従変形体と係合することで、前記第１の軸方向から見て前記第２の軸に対する前記突起の位置関係が変化しない状態を保つようにしたことを要旨とする。
【００１６】
同構成によれば、追従変形体が複数の突起以外を覆うように設けられ、各突起が追従変形体を貫通してそれぞれが該追従変形体と係合することで、第１の軸方向から見て第２の軸に対する突起の位置関係が変化しない状態を保つようにしたため、別途係合する構成（特殊な形状や接着剤等）を追加することなく簡単な構成で、請求項５に記載の発明の効果を得ることができる。
【００１７】
請求項７に記載の発明では、請求項４乃至６のいずれか１項に記載の頭皮ケア装置において、前記追従変形体は、弾性体よりなる蛇腹形状の蛇腹部材であることを要旨とする。
同構成によれば、追従変形体は、弾性体よりなる蛇腹形状の蛇腹部材であるため、施術子の第１の軸中心の回転にスムーズに追従させることができるとともに、例えば追従変形体を布部材等とした場合のような不規則で大きな弛みが発生しない。
【発明の効果】
【００１８】
本発明によれば、毛髪が出力軸に絡まってしまうことを低減することができる頭皮ケア装置を提供することができる。
【図面の簡単な説明】
【００１９】
【図１】本実施形態における頭皮ケア装置の断面図。
【図２】別例における頭皮ケア装置の断面図。
【図３】別例における頭皮ケア装置の断面図。
【図４】別例における頭皮ケア装置の断面図。
【図５】別例における頭皮ケア装置の平面図。
【図６】別例における頭皮ケア装置の断面図。
【図７】別例における頭皮ケア装置の平面図。
【発明を実施するための形態】
【００２０】
以下、本発明を具体化した一実施の形態を図１に従って説明する。
図１に示すように、本実施の形態の頭皮ケア装置１は、外観が略直方体状の本体ハウジング１１と、該本体ハウジング１１内に収容保持され、出力軸１２を回転駆動するための駆動源としてのモータ１３と、本体ハウジング１１から突出した出力軸１２の先端に連結され、出力軸１２の回転に基づいて駆動される突起１４を有した施術子１５とを備える。
【００２１】
本体ハウジング１１の側部には、使用者が頭皮ケア装置１をオンオフ操作するためのスイッチ１６が設けられている。
出力軸１２は、本体ハウジング１１の上部から先端側が外部に突出するように同本体ハウジング１１に軸受１７を介して回転可能に支持されている。又、出力軸１２において本体ハウジング１１内の基端側には、出力軸ギヤ１２ａが設けられている。
【００２２】
モータ１３は、回転軸１３ａを回転駆動可能なものであって、該回転軸１３ａの先端部には回転軸ギヤ１３ｂが設けられている。そして、モータ１３は、回転軸ギヤ１３ｂが前記出力軸ギヤ１２ａに噛合されるように本体ハウジング１１内に収容保持されることで、出力軸１２を回転駆動可能とされている。このモータ１３は本体ハウジング１１内に収容保持された制御部１８と電気的に接続され、該制御部１８は本体ハウジング１１内に収容保持された電源（バッテリー）１９及び前記スイッチ１６と電気的に接続されている。
【００２３】
施術子１５は、出力軸１２の中心である第１の軸Ｘ１からずれた第２の軸Ｘ２中心で出力軸１２に対して回転可能に設けられる回転部材２１と、前記第１の軸Ｘ１に対して偏った位置に配置（第２の軸Ｘ２の周囲に配置）されるように回転部材２１に設けられた複数（本実施の形態では４つであって、図１中、２つのみ図示）の突起１４とを有する。
【００２４】
詳しくは、出力軸１２の先端と施術子１５とは、回転板２２、回転支持部材２３及び軸受２４を介して連結されている。回転板２２は、円盤状に形成され、その中心孔２２ａに出力軸１２の先端が嵌入されて固定されている。回転支持部材２３は、略円柱状に形成されるとともに下端にフランジ部２３ａが形成され、その軸中心が出力軸１２の中心である第１の軸Ｘ１からずれた第２の軸Ｘ２中心となるように前記回転板２２上に固定されている。一方、施術子１５の回転部材２１は、略円盤状の円盤部２１ａと、円盤部２１ａの下面から筒状に延びる筒部２１ｂとを有する。そして、施術子１５は、その回転部材２１における筒部２１ｂの内周面が軸受２４を介して前記回転支持部材２３の外周面に回転可能に支持されている。又、突起１４は、エラストマー等の弾性部材よりなり、略円錐形状に形成され、本実施の形態では円盤部２１ａの上部に上方に突出するように４つ固定されている。この４つの突起１４は、前記第２の軸Ｘ２を中心として均等な距離に等角度（９０°）間隔に配置されている。
【００２５】
そして、本体ハウジング１１には、該本体ハウジング１１から突出した出力軸１２の周囲を覆うカバー３１が設けられている。詳しくは、カバー３１は、樹脂材よりなり、本体ハウジング１１（詳しくはその外側面全体）に固定される固定部３１ａと、固定部３１ａから前記出力軸１２の露出した周囲（径方向外側）を覆うように筒状に延びるカバー本体部３１ｂとを有する。又、本実施の形態のカバー３１は、施術子１５の前記第１の軸Ｘ１中心の回転（周回）を許容しながら前記回転部材２１の周囲の少なくとも一部（本実施の形態では筒部２１ｂの下方側）を覆うべく、前記カバー本体部３１ｂから延設された回転部材カバー部３１ｃを有する。本実施の形態の回転部材カバー部３１ｃは、カバー本体部３１ｂから引き続き筒状に延設された延設筒部３１ｄと、回転部材２１の移動軌跡範囲より僅かに大きな開口３１ｅを有するように、言い換えると第１の軸Ｘ１を中心とした円形の開口３１ｅを有するように、延設筒部３１ｄの先端から第１の軸Ｘ１の直交方向に延びる蓋部３１ｆとからなる。
【００２６】
このように構成された頭皮ケア装置１では、スイッチ１６が使用者によってオン操作されると、制御部１８はスイッチ１６からのオン操作信号の入力に基づいて、モータ１３（その回転軸１３ａ）を回転駆動させるための電力を電源１９からモータ１３に供給する。そして、モータ１３の回転軸１３ａが回転駆動されると、回転軸ギヤ１３ｂと出力軸ギヤ１２ａが噛合していることで、出力軸１２及び回転板２２が前記第１の軸Ｘ１を中心として一体回転する。又、このとき、回転支持部材２３及び施術子１５が前記第１の軸Ｘ１を周回するように前記第１の軸Ｘ１を中心として回転する。そして、施術子１５の先端（突起１４）を頭皮に接触させると、施術子１５の先端（突起１４）の動きに合わせて使用者の頭皮が動かされることになり、頭皮がケア（マッサージ）されることになる。尚、施術子１５は、回転支持部材２３に対して（第２の軸Ｘ２中心で）回転可能に支持されているため、負荷（突起１４に接触される頭皮や毛髪との摩擦等）に応じて、例えば、第１の軸Ｘ１方向から見て第２の軸Ｘ２に対する突起１４の位置関係が変化しない状態を保ったまま第１の軸Ｘ１中心に回転（周回）することが可能とされている。よって、負荷（頭皮や毛髪との摩擦等）によっては、各突起１４が第１の軸Ｘ１を中心として（それぞれがそれぞれの半径で）単純に回転する運動に基づいて施術子に毛髪が絡まってしまうといった現象を回避することができる。
【００２７】
次に、上記実施の形態の特徴的な作用効果を以下に記載する。
（１）本体ハウジング１１には、本体ハウジング１１から突出した出力軸１２の周囲を覆うカバー３１（カバー本体部３１ｂ）が設けられるため、毛髪が出力軸１２に絡まってしまうことを低減することができる。
【００２８】
（２）施術子１５は、出力軸１２の中心である第１の軸Ｘ１からずれた第２の軸Ｘ２中心で出力軸１２に対して回転可能に設けられる回転部材２１と、第１の軸Ｘ１に対して偏った位置（第２の軸Ｘ２から均等な距離の位置）に配置されるように回転部材２１に設けられる複数の突起１４とを有する。よって、本体ハウジング１１を動かさなくても施術子１５（複数の突起１４の群）を広範囲に移動させて頭皮をケアすることができる。
【００２９】
（３）カバー３１は、施術子１５の第１の軸Ｘ１中心の回転（周回）を許容しながら回転部材２１の周囲の少なくとも一部（筒部２１ｂの下方側）を覆う回転部材カバー部３１ｃを有するため、毛髪が出力軸１２の周囲まで入り込むことを低減することができ、ひいては毛髪が出力軸１２に絡まってしまうことを更に低減することができる。
【００３０】
上記実施の形態は、以下のように変更してもよい。
・上記実施の形態では、カバー３１は、回転部材２１の周囲の一部である筒部２１ｂの下方側を覆う回転部材カバー部３１ｃを有するとしたが、これに限定されず、例えば、図２に示すように、回転部材２１の周囲の全体を（この例では突起１４の基端部をも）覆う回転部材カバー部３１ｇを有するように変更してもよい。このようにすると、回転部材カバー部３１ｇによって、毛髪が出力軸１２の周囲まで入り込むことを更に低減することができ、ひいては毛髪が出力軸１２に絡まってしまうことを更に低減することができる。又、回転部材２１の周囲を覆う回転部材カバー部３１ｃ，３１ｇを有していないカバーに変更してもよい。
【００３１】
・上記実施の形態及び別例の回転部材カバー部３１ｃ，３１ｇは、施術子１５の第１の軸Ｘ１中心の回転に追従しながら外部と出力軸１２側とを区画する変形可能な追従変形体を有するように変更してもよい。
【００３２】
例えば、図３に示すように、上記別例（図２参照）の頭皮ケア装置１における回転部材カバー部３１ｇの開口３１ｅに、複数の突起１４以外を覆うように設けられる追従変形体としての布部材４１を設けてもよい。尚、この布部材４１は、突起１４と対応した位置に孔が形成され、その孔を突起１４が貫通するように設けられている。又、布部材４１は、施術子１５の第１の軸Ｘ１中心の回転を阻害しない（許容する）大きさに形成されて設けられている。
【００３３】
このようにすると、回転部材カバー部３１ｇは、施術子１５の第１の軸Ｘ１中心の回転に追従しながら外部と出力軸１２側とを区画する変形可能な布部材４１を有するため、毛髪が出力軸１２の周囲まで入り込むことが防止され、ひいては毛髪が出力軸１２に絡まってしまうことが防止される。
【００３４】
又、例えば、図４及び図５に示すように、追従変形体を弾性体よりなる蛇腹形状の蛇腹部材４２に変更してもよい。詳しくは、この例の頭皮ケア装置１は、出力軸１２の露出した周囲（径方向外側）を覆うように筒状に延びるカバー本体部３１ｈに、回転部材２１の周囲を覆う回転部材カバー部を構成するとともに、施術子１５の第１の軸Ｘ１中心の回転に追従しながら外部と出力軸１２側とを区画する変形可能な追従変形体としての蛇腹部材４２を有する。この蛇腹部材４２は、その一端開口部が前記カバー本体部３１ｈの開口３１ｉに固定され、その他端開口部が施術子１５の回転部材２１における筒部２１ｂに外嵌されている。
【００３５】
このようにしても、回転部材カバー部は、施術子１５の第１の軸Ｘ１中心の回転に追従しながら外部と出力軸１２側とを区画する変形可能な蛇腹部材４２を有するため、毛髪が出力軸１２の周囲まで入り込むことが防止され、ひいては毛髪が出力軸１２に絡まってしまうことが防止される。又、追従変形体は、弾性体よりなる蛇腹形状の蛇腹部材４２であるため、施術子１５の第１の軸Ｘ１中心の回転にスムーズに追従させることができるとともに、例えば追従変形体を布部材等とした場合（図３参照）のような不規則で大きな弛みが発生しない。
【００３６】
又、例えば、図６及び図７に示すように、追従変形体は、第１の軸Ｘ１方向から見て第２の軸Ｘ２に対する突起１４の位置関係が変化しない状態を保ったまま施術子１５が第１の軸Ｘ１中心に回転（周回）するように、施術子１５に連結された蛇腹部材４３に変更してもよい。詳しくは、この例では、蛇腹部材４３が複数の突起１４以外を覆うように設けられるとともに、各突起１４が蛇腹部材４３に形成された孔４３ａ（図７参照）を貫通してそれぞれが該蛇腹部材４３と係合することで、第１の軸Ｘ１方向から見て第２の軸Ｘ２に対する突起１４の位置関係が変化しない状態を保つようにしている。即ち、この例では、弾性体よりなる蛇腹部材４３が、施術子１５の第１の軸Ｘ１中心の移動（回転）を許容するものの、自身を捩れさせるような施術子１５の回転に対して抵抗となることで、第２の軸Ｘ２に対する突起１４の位置関係が変化しないようにしている。尚、この例（図６及び図７参照）では、回転部材２１の周囲の一部（筒部２１ｂ）を覆うべく、カバー本体部３１ｂから延設された回転部材カバー部３１ｊの開口３１ｋに蛇腹部材４３の一端開口部が固定されている。
【００３７】
このようにしても、回転部材カバー部３１ｊは、施術子１５の第１の軸Ｘ１中心の回転に追従しながら外部と出力軸１２側とを区画する変形可能な蛇腹部材４３を有するため、毛髪が出力軸１２の周囲まで入り込むことが防止され、ひいては毛髪が出力軸１２に絡まってしまうことが防止される。又、追従変形体は、弾性体よりなる蛇腹形状の蛇腹部材４３であるため、施術子１５の第１の軸Ｘ１中心の回転にスムーズに追従させることができるとともに、例えば追従変形体を布部材等とした場合（図３参照）のような不規則で大きな弛みが発生しない。
【００３８】
又、この例では、蛇腹部材４３は、第１の軸Ｘ１方向から見て第２の軸Ｘ２に対する突起１４の位置関係が変化しない状態を保ったまま施術子１５が第１の軸Ｘ１中心に回転（周回）するように、施術子１５に連結される。よって、各突起１４が第１の軸Ｘ１を中心として（それぞれがそれぞれの半径で）単純に回転する運動に基づいて施術子１５に毛髪が絡まってしまう現象を回避することができる。又、この例では、蛇腹部材４３が複数の突起１４以外を覆うように設けられるとともに、各突起１４が蛇腹部材４３を貫通してそれぞれが該蛇腹部材４３と係合することで、第１の軸Ｘ１方向から見て第２の軸Ｘ２に対する突起１４の位置関係が変化しない状態を保つようにした。よって、別途係合する構成（特殊な形状や接着剤等）を追加することなく簡単な構成で、上記した効果を得ることができる。
【００３９】
・上記実施の形態では、施術子１５が出力軸１２の中心である第１の軸Ｘ１からずれた第２の軸Ｘ２中心で回転可能に設けられるとしたが、これに限定されず、単に出力軸１２と一体回転する構成のものとしてもよい。
【符号の説明】
【００４０】
１１…本体ハウジング、１２…出力軸、１３…モータ（駆動源）、１４…突起、１５…施術子、２１…回転部材、３１…カバー、３１ｃ，３１ｇ，３１ｊ…回転部材カバー部、４１…布部材（追従変形体）、４２，４３…蛇腹部材（追従変形体）、Ｘ１…第１の軸、Ｘ２…第２の軸。
【図１】
2011172623.tif 000003
【図２】
2011172623.tif 000004
【図３】
2011172623.tif 000005
【図４】
2011172623.tif 000006
【図５】
2011172623.tif 000007
【図６】
2011172623.tif 000008
【図７】
2011172623.tif 000009